(57)【要約】【課題】本発明は、受信信号から伝送路情報をより正確に取り出すことができるＯＦＤＭ受信装置を提供する。【解決手段】本発明に係るＯＦＤＭ受信装置１００は、ＦＦＴ部１、除算部２、ＩＦＦＴ部７、およびＬＰＦ部８を備えている。ＦＦＴ部１は、外部から受信した受信信号をフーリエ変換する。除算部２は、ＦＦＴ部１からの出力信号に含まれるパイロット信号を、規定のパイロット信号で除して、周波数領域の伝送路伝達関数を生成する。ＩＦＦＴ部７は、周波数領域の伝送路伝達関数を逆フーリエ変換し、時間領域の伝送路インパルス応答を生成する。ＬＰＦ部８は、ＩＦＦＴ部７で生成された時間領域の伝送路インパルス応答に対して、フィルタリング処理を施す。当該ＯＦＤＭ受信装置１００は、ＬＰＦ部８からの出力信号を基に、ＯＦＤＭ信号の復調処理を実施する。【選択図】  図１
2008271018.tif 000002
【特許請求の範囲】
【請求項１】
外部から受信した受信信号をフーリエ変換するＦＦＴ部と、
前記ＦＦＴ部からの出力信号に含まれるパイロット信号を、規定のパイロット信号で除して、周波数領域の伝送路伝達関数を生成する除算部と、
前記周波数領域の伝送路伝達関数を逆フーリエ変換し、時間領域の伝送路インパルス応答を生成するＩＦＦＴ部と、
前記ＩＦＦＴ部で生成された前記時間領域の伝送路インパルス応答に対して、フィルタリング処理を施すローパスフィルタ部とを、備えており、
前記ローパスフィルタ部からの出力信号を基に、前記受信信号に含まれるＯＦＤＭ信号の復調処理を実施する、
ことを特徴とするＯＦＤＭ受信装置。
【請求項２】
前記ローパスフィルタ部は、
前記時間領域の伝送路インパルス応答に対して、シンボル方向にフィルタ処理を施している、
ことを特徴とする請求項１に記載のＯＦＤＭ受信装置。
【請求項３】
前記ローパスフィルタ部は、
前記時間領域の伝送路インパルス応答に対して、スムージング処理を行うＩＩＲフィルタである、
ことを特徴とする請求項１に記載のＯＦＤＭ受信装置。
【請求項４】
前記除算部で生成された前記周波数領域の伝送路伝達関数を時間方向に補間する時間補間部を、さらに備えており、
前記ＩＦＦＴ部は、
前記時間補間部からの出力信号に対して、逆フーリエ変換処理を施す、
ことを特徴とする請求項１に記載のＯＦＤＭ受信装置。
【発明の詳細な説明】
【技術分野】
【０００１】
この発明は、ＯＦＤＭ受信装置に係る発明であり、特に、受信信号から伝送路情報をより正確に取り出すことができるＯＦＤＭ受信装置に関するものである。
【背景技術】
【０００２】
日本の地上波デジタルテレビ放送では、伝送方式として、ＯＦＤＭ（直交周波数分割多重；Orthogonal Frequency Division Multiplexing）方式が採用されている。ＯＦＤＭ方式は、送信信号を複数の搬送波に分割して送信するマルチキャリア伝送方式の１つである。当該ＯＦＤＭ方式は、マルチパス伝送路の周波数選択性フェージングに強い、各サブチャネルのスペクトルが密に配置できる、周波数利用効率が高い、などの利点がある。
【０００３】
また、携帯機器向けの地上波デジタルテレビ放送（１セグ放送）が開始されている。デジタルテレビ放送の受信が可能な携帯電話機（またはカード型デジタルテレビ受信機など）を設計する場合には、常に小型化と低消費電力化を考慮しなければならない。ここで、携帯機器は一般的に、移動しながら放送信号を受信する。したがって、伝送路情報は、ＯＦＤＭ受信装置における復調処理制御の際には、欠かすことができない重要な情報である。当該伝送路情報は、ＯＦＤＭ受信装置が外部から受信した受信信号から取り出すことができる。
【０００４】
同期復調（Coherent  Demodulation）方式が適用されたＯＦＤＭ変調システムにおいては、伝送路情報は同期復調制御の際だけでなく、ＦＦＴ（高速フーリエ変換；Fast Fourier Transform）窓位置制御、クロック同期、伝送路推定等の際にも使用される。
【０００５】
当該伝送路情報は、周波数領域の伝送路伝達関数および時間領域の伝送路インパルス応答から取り出すことができる。復調処理制御等の各制御の際に主に用いられるのは、時間領域の伝送路インパルス応答の方である。当該時間領域の伝送路インパルス応答からは、伝送路における直接波と反射波との相対関係情報（遅延、振幅比）、ＦＦＴ窓位置のオフセット情報、およびＦＦＴ窓位置のシフト情報などの情報が得られる。そして、ＯＦＤＭ受信装置は、時間領域の伝送路インパルス応答から得られた情報を基に、上記受信信号に含まれるＯＦＤＭ信号の復調処理等を制御する。
【０００６】
なお、周波数領域の伝送路伝達関数および時間領域の伝送路インパルス応答に関する技術は、たとえば特許文献１に開示されている。
【０００７】
【特許文献１】特開２００６−２５３９１５号公報
【発明の開示】
【発明が解決しようとする課題】
【０００８】
しかし、上記伝送路情報を含む受信信号は、外部ノイズやフェージング等の外乱により乱れることがある。特に、ドップラーシフトの高いレイリーフェージングの伝送路の場合には、上記時間領域の伝送路インパルス応答がかなり乱れる。つまり、時間領域の伝送路インパルス応答波形に偽反射信号となる大きなノイズが多数含まれてしまい、逆に反射波が時間領域の伝送路インパルス応答波形から検出されなくなったりする。
【０００９】
当該乱れた時間領域の伝送路インパルス応答からは、正確な伝送路情報を得ることができず、正確なＯＦＤＭ信号の復調ができなくなる。最悪な場合には、同期がはずれて、ＯＦＤＭ信号の受信不能に陥ることもある。
【００１０】
そこで、本発明は、受信信号から伝送路情報をより正確に取り出すことができるＯＦＤＭ受信装置を提供することを目的とする。
【課題を解決するための手段】
【００１１】
上記の目的を達成するために、本発明に係る請求項１に記載のＯＦＤＭ受信装置は、外部から受信した受信信号をフーリエ変換するＦＦＴ部と、前記ＦＦＴ部からの出力信号に含まれるパイロット信号を、規定のパイロット信号で除して、周波数領域の伝送路伝達関数を生成する除算部と、前記周波数領域の伝送路伝達関数を逆フーリエ変換し、時間領域の伝送路インパルス応答を生成するＩＦＦＴ部と、前記ＩＦＦＴ部で生成された前記時間領域の伝送路インパルス応答に対して、フィルタリング処理を施すローパスフィルタ部とを、備えており、前記ローパスフィルタ部からの出力信号を基に、前記受信信号に含まれるＯＦＤＭ信号の復調処理を実施する。
【００１２】
また、本発明に係る請求項２に記載のＯＦＤＭ受信装置は、請求項１に記載のＯＦＤＭ受信装置であって、前記ローパスフィルタ部は、前記時間領域の伝送路インパルス応答に対して、シンボル方向にフィルタ処理を施している。
【００１３】
また、本発明に係る請求項３に記載のＯＦＤＭ受信装置は、請求項１に記載のＯＦＤＭ受信装置であって、前記ローパスフィルタ部は、前記時間領域の伝送路インパルス応答に対してスムージング処理を行うＩＩＲフィルタである。
【００１４】
また、本発明に係る請求項４に記載のＯＦＤＭ受信装置は、請求項１に記載のＯＦＤＭ受信装置であって、前記除算部で生成された前記周波数領域の伝送路伝達関数を時間方向に補間する時間補間部を、さらに備えており、前記ＩＦＦＴ部は、前記時間補間部からの出力信号に対して、逆フーリエ変換処理を施す。
【発明の効果】
【００１５】
本発明の請求項１に記載のＯＦＤＭ受信装置は、ＩＦＦＴ部で生成された時間領域の伝送路インパルス応答に対してフィルタリング処理を施すローパスフィルタ部を、備えている。そして、ローパスフィルタ部からの出力信号を基に、受信信号に含まれるＯＦＤＭ信号の復調処理を実施する。
【００１６】
したがって、たとえ外部ノイズやフェージング等の外乱により時間領域の伝送路インパルス応答が乱れたとしても、ローパスフィルタ部において、ＩＦＦＴ部から出力された時間領域の伝送路インパルス応答に含まれるノイズ部分をスムージングすることができる。つまり、直接波のピークと反射波のピークとが明確になった時間領域の伝送路インパルス応答を生成することができる。よって、当該ＯＦＤＭ受信装置は、フィルタリング後の時間領域の伝送路インパルス応答から、正確な伝送路情報を抽出することができる。したがって、当該ＯＦＤＭ装置は、受信した受信信号に含まれるＯＦＤＭ信号をより精度良く復調することができる。
【００１７】
また、本発明の請求項２に記載のＯＦＤＭ受信装置では、ローパスフィルタ部は、時間領域の伝送路インパルス応答に対して、シンボル方向にフィルタ処理を施している。
【００１８】
したがって、外乱ノイズの時間方向の出現位相のランダム性と、直接波（あるいは反射波）の時間方向の出現位相の確定性を利用したフィルタリング処理が実施される。よって、当該ローパスフィルタ部により、出現位相がランダムに変化する外乱ノイズのみが有効的にスムージングされる。つまり、ローパスフィルタ部からの出力信号に、時間方向の出現位相が確定的である、直接波と反射波だけを残すことができる。
【００１９】
また、本発明の請求項３に記載のＯＦＤＭ受信装置では、ローパスフィルタ部は、時間領域の伝送路インパルス応答に対してスムージング処理を行うＩＩＲフィルタである。
【００２０】
したがって、ローパスフィルタ部を追加したとしても、ＯＦＤＭ受信装置における回路規模の拡大を抑制することができ、かつ簡易な設計変更で済む。
【００２１】
また、本発明の請求項４に記載のＯＦＤＭ受信装置は、除算部で生成された前記周波数領域の伝送路伝達関数を時間方向に補間する時間補間部を、さらに備えている。さらに、ＩＦＦＴ部は、時間補間部からの出力信号に対して逆フーリエ変換処理を施す。
【００２２】
したがって、ＩＦＦＴ部では、より情報量の多い推定伝送路応答（周波数領域の伝送路伝達関数）に対して、逆フーリエ変換処理を施すことができる。つまり、ＩＦＦＴ部は、より精度の良い時間領域の伝送路インパルス応答を生成することができる。
【発明を実施するための最良の形態】
【００２３】
以下、この発明をその実施の形態を示す図面に基づいて具体的に説明する。
【００２４】
＜実施の形態＞
図１は、本実施の形態に係るＯＦＤＭ受信装置１００の要部構成を示すブロック図である。当該ＯＦＤＭ受信装置１００は、携帯電話機、携帯型デジタルテレビなどに搭載される。
【００２５】
当該ＯＦＤＭ受信装置１００は、ＦＦＴ（高速フーリエ変換；Fast Fourier Transform）部１、除算部２、パイロットパターン部３、時間補間部４、周波数補間部５、等化部６、ＩＦＦＴ（逆高速フーリエ変換：Inverse ＦＦＴ）７部、およびローパスフィルタ（ＬＰＦ）部８を備えている。
【００２６】
ＯＦＤＭ受信装置１００は、図示していないアンテナを介して受信信号（＝ＯＦＤＭ信号＋伝送路関数）を受信する。当該受信信号は、Ａ／Ｄ変換等の所定の処理が施された後（つまり、時間領域のＯＦＤＭシンボル受信信号の生成後）、当該時間領域のＯＦＤＭシンボル受信信号はＦＦＴ部１に入力される。
【００２７】
ＦＦＴ部１では、外部から受信した上記受信信号（より具体的には、前記時間領域のＯＦＤＭシンボル受信信号）をフーリエ変換する。つまり、ＦＦＴ部１は、時間領域のＯＦＤＭシンボル信号を、周波数領域のＯＦＤＭシンボル信号に変換することができる。
【００２８】
当該ＦＦＴ部１からの出力信号（周波数領域のＯＦＤＭシンボル信号）は、等化部６に対して送信される。さらに、当該周波数領域のＯＦＤＭシンボル信号に埋め込まれたパイロット信号は、除算部２に対して送信される。ここで、当該パイロット信号は、図示しないパイロット信号抽出部によって抽出される信号であり、サブキャリア位置、振幅、および位相が既知のＰＲＢＳ（Pseudo Random Binary Series）信号である。
【００２９】
等化部６では、周波数領域のＯＦＤＭシンボル信号の等化処理を実行する。つまり、推定伝送路応答を用いて、受信信号に含まれる伝送路関数を除算することにより、ＯＦＤＭ信号を抽出する。ここで、後述するように前記推定伝送路応答は、振幅と位相が既知のパイロット信号を用いて周波数領域のＯＦＤＭシンボル信号から周波数領域の伝送路伝達関数を算出し、当該周波数領域の伝送路伝達関数をシンボル方向およびキャリア方向に補間処理されたものである。
【００３０】
そして、等化部６は、補間された推定伝送路応答を用いて、周波数領域のＯＦＤＭシンボル信号の等化処理を実行する。等化処理後のＯＦＤＭ信号は、復調処理のために、図示しないデマッピング部、ＦＥＣ（forward error coding）等に出力される。
【００３１】
一方、パイロットパターン部３は、上述した図示しないパイロット抽出部に同期して、その振幅と位相が既知である規定のパイロット信号を発生するもので、その出力は除算部２に供給される。上述から分かるように、除算部２には、当該周波数領域のＯＦＤＭシンボル信号から抽出されたパイロット信号（受信パイロット信号）と、パイロットパターン部３で生成された規定のパイロット信号（規定パイロット信号）とが入力される。
【００３２】
除算部２では、受信パイロット信号を規定パイロット信号で除算することにより、周波数領域の伝送路伝達関数を算出する。当該周波数領域の伝送路伝達関数は、時間補間部４に供給される。
【００３３】
時間補間部４では、当該周波数領域の伝送路伝達関数を時間軸方向に補間する。当該補間後の周波数領域の伝送路伝達関数は、周波数補間部５およびＩＦＦＴ部７に供給される。
【００３４】
周波数補間部５は、時間軸方向に補間された周波数領域の伝送路伝達関数を、周波数軸方向に補間する。当該各補間が施されることにより生成された推定伝送路応答は、等化部６に入力される。等化部６における当該推定伝送路応答を用いた等化処理は、上述の通りである。
【００３５】
さて、上述したように図１に示す構成では、時間補間された周波数領域の伝送路伝達関数は、ＩＦＦＴ部７にも供給される。ＩＦＦＴ部７では、時間補間された周波数領域の伝送路伝達関数が高速逆フーリエ変換され、時間領域の信号に変換される。つまり、ＩＦＦＴ部７では、周波数領域の伝送路伝達関数が、時間領域の伝送路インパルス応答に変換される。
【００３６】
ところで、「発明が解決しようとする課題」において述べたように、外部から受信した受信信号は、外部ノイズやフェージング等の外乱により乱れることがある。特に、ドップラーシフトの高いレイリーフェージングの伝送路の場合には、上記時間領域の伝送路インパルス応答がかなり乱れる。
【００３７】
図２は、ノイズと偽反射がない時間領域の伝送路インパルス応答を示す図である。しかし、受信信号に外部ノイズが混入されると、図３に示すように、直接波および反射波とノイズ（ホワイトノイズおよびドップラーシフトによる偽反射）との区別が、明確でなくなる。当該乱れた時間領域の伝送路インパルス応答からは、正確な伝送路情報を得ることができず、正確なＯＦＤＭ信号の復調ができなくなる。ここで、図２，３の縦軸は信号強度であり、横軸は時間を示している。
【００３８】
そこで、本発明に係るＯＦＤＭ受信装置１００では、図１に示すように、ＩＦＦＴ部７の後段にＬＰＦ部８が接続されている。つまり、当該ＯＦＤＭ受信装置１００では、ＬＰＦ８において、時間領域の伝送路インパルス応答に対して、フィルタリング処理が施される。
【００３９】
より具体的には、ＬＰＦ部８は、時間領域の伝送路インパルス応答に対して、シンボル方向にフィルタ処理を施している。当該ＬＰＦ部８として、たとえば、フィルタのロールオフ特性から考えると、デジタルフィルタであるＩＩＲ（Infinite-duration Impulse Response）フィルタを採用することが適切である。当該ＩＩＲフィルタは、時間領域の伝送路インパルス応答に対してスムージング処理を行う。
【００４０】
図４は、図３に示した信号がＬＰＦ部８で処理され、当該ＬＰＦ部８から出力される信号のシミュレーション結果を示す図である。図４に示すように、ノイズがスムージングされ、直接波Ｄｗのピークおよび反射波Ｒｗのピークが明確となる。
【００４１】
ＬＰＦ部８でフィルタリング処理が施された時間領域の伝送路インパルス応答は、図示しない制御部に供給される。制御部では、ＬＰＦ部８からの出力信号を基に、ＯＦＤＭ信号の復調処理を制御する。つまり、制御部では、当該フィルタリング処理が施された時間領域の伝送路インパルス応答から、各伝送路情報を抽出する。そして、当該制御部は、当該抽出した各伝送路情報を用いて、等化部６で等化処理が施された信号に対する復調処理を制御する。
【００４２】
以上のように、本実施の形態に係るＯＦＤＭ受信装置１００では、逆フーリエ変換されることにより生成された時間領域の伝送路インパルス応答に対してローパスフィルタ処理を施すＬＰＦ部８を備えている。
【００４３】
したがって、たとえ外部ノイズやフェージング等の外乱により時間領域の伝送路インパルス応答が乱れたとしても、ＩＦＦＴ部７から出力された時間領域の伝送路インパルス応答に含まれるノイズ部分をスムージングすることができる。つまり、直接波のピークと反射波のピークとが明確になった、時間領域の伝送路インパルス応答を生成することができる。よって、本発明に係るＯＦＤＭ受信装置１００は、フィルタリング後の時間領域の伝送路インパルス応答から、正確な伝送路情報を抽出することができる。したがって、当該ＯＦＤＭ受信装置１００は、受信信号に含まれるＯＦＤＭ信号をより精度良く復調することができる。
【００４４】
ここで、レイリーフェージングのある場合、時間領域の伝送路インパルス応答（つまりＩＦＦＴ部７からの出力）は、シンボル毎に波形が異なる。ただし、当該時間領域の伝送路インパルス応答内の直接波と反射波は、確定信号である。したがって、当該直接波および反射波は、シンボル毎に時間方向の同じ位置のデータの位相変化は小さい。一方、ＩＦＦＴ部７からの出力信号に含まれるノイズ部分（偽反射も含む）は、シンボル毎に時間方向の同じ位置のデータの位相変化はランダムで大きい（つまり、ノイズが出現する位相は、シンボル毎にランダムである）。
【００４５】
そこで、本実施の形態に係るＯＦＤＭ受信装置１００では、ＬＰＦ部８は、サブキャリア毎に、時間領域の伝送路インパルス応答に対してシンボル（時間）方向にフィルタ処理を施す。
【００４６】
このように、外乱ノイズの出現位相のランダム性と直接波（あるいは反射波）の出現位相の確定性を利用したフィルタリング処理が実施される。したがって、出現位相がランダムに変化する外乱ノイズのみが有効的にスムージングされる。つまり、ＬＰＦ部８からの出力信号には、出現位相が確定的である直接波と反射波だけを残すことができる。
【００４７】
また、本実施の形態に係るＯＦＤＭ受信装置１００では、ＬＰＦ部８として、ＩＩＲフィルタを採用することができる。当該ＩＩＲフィルタは回路規模が小さく、設計も容易である。
【００４８】
したがって、ＩＩＲフィルタを追加したとしても、ＯＦＤＭ受信装置１００における回路規模の拡大を抑制することができ、かつ簡易な設計変更で済む。
【００４９】
なお、図１の構成において、除算部２からの信号に対して時間補間処理を施さずに、当該除算部２からの信号をＩＦＦＴ部７に直接入力しても良い（ケース１）。しかし、上記で説明では、ＩＦＦＴ部７には、時間補間処理後の信号が入力されている（ケース２）。
【００５０】
本発明では当該ケース２を採用しているので、ＩＦＦＴ部７では、より情報量の多い周波数領域の伝送路伝達関数に対して、（高速）逆フーリエ変換処理を施すことができる。つまり、ＩＦＦＴ部７は、より精度の良い時間領域の伝送路インパルス応答を生成することができる。
【００５１】
ここで、図１の構成において、除算部２から出力された信号に対して時間補間および周波数補間を施し、当該各補間処理後の信号をＩＦＦＴ部７に入力させても良い（ケース３）。
【００５２】
しかし、時間補間に加えて周波数補間までもが施された周波数領域の伝送路伝達関数（推定伝送路応答）をＩＦＦＴ部７に入力させたとしても、計算量が多くなるだけである。つまり、上記ケース２で生成される時間領域の伝送路インパルス応答の精度と比較して、当該ケース３で生成される時間領域の伝送路インパルス応答の精度は、当該計算量の多さに見合った分だけ向上することは無い。
【００５３】
したがって、逆フーリエ変換の計算量および時間領域の伝送路インパルス応答の高精度の観点から、ケース２の構成が最も適切であると結論付けられる。
【００５４】
なお、図１に示した構成でＬＰＦ部８が無い場合には、マルチパス特性（反射波の遅延耐性）とフェージング特性（ドップラーシフト耐性）とを同時に高精度とすることはできなかった。つまり、マルチパス特性はシンボルが長いほど良好である一方、フェージング特性はシンボルが短いほど良好であり、両特性はトレードオフの関係にあった。
【００５５】
しかし、本実施の形態に係るＯＦＤＭ受信装置１００では、ＩＦＦＴ部７の後段に別途ＬＰＦ部８を接続している。したがって、シンボルを長くすることによりマルチパス特性を向上させることができると共に、当該ＬＰＦ部８の配設によりフェージング特性の向上も図ることができる。つまり、当該ＯＦＤＭ受信装置１００は、マルチパス特性とフェージング特性とを同時に高精度とすることができる。
【００５６】
当該ＯＦＤＭ受信装置１００は、地デジワンセグＯＦＤＭ受信装置および１／３セグＯＦＤＭ受信装置等に適用することができる。
【図面の簡単な説明】
【００５７】
【図１】実施の形態に係るＯＦＤＭ受信装置の要部構成を示すブロック図である。
【図２】ノイズと偽反射を含まない時間領域の伝送路インパルス応答の波形を示す図である。
【図３】ノイズと偽反射が含まれている時間領域の伝送路インパルス応答の波形を示す図である。
【図４】時間領域の伝送路インパルス応答に対してフィルタリング処理をした結果を示す図である。
【符号の説明】
【００５８】
１  ＦＦＴ部
２  除算部
３  パイロットパターン部
４  時間補間部
５  周波数補間部
６  等化部
７  ＩＦＦＴ部
８  ＬＰＦ
１００  ＯＦＤＭ受信装置
【図１】
2008271018.tif 000003
【図２】
2008271018.tif 000004
【図３】
2008271018.tif 000005
【図４】
2008271018.tif 000006